(57)【要約】【課題】利用者がコンテンツを重複して取得しようとした場合であっても、取得するコンテンツが重複しないように利用者側で管理・制御することが可能なコンテンツ受信装置並びに録画装置、再生装置及び受信装置を提供する。【解決手段】再コンテンツ判定部１０２において、コンテンツ受信部１０１で受信しようとするコンテンツのコンテンツ情報と、コンテンツ情報格納部１０４において格納した過去に受信した受信済みのコンテンツのコンテンツ情報とを比較する。前記再コンテンツ判定部１０２において、コンテンツ受信部１０１で新たに受信しようとするコンテンツが、過去に受信した受信済みのコンテンツであると判定されたときには、処理部１０３においてコンテンツ受信済み時の規定処理を行い、前記コンテンツ受信部１０１によるコンテンツの受信を中止したり、受信を中止するかどうかを利用者に選択させる。【選択図】図１
2008113147.tif 000002
【特許請求の範囲】
【請求項１】
コンテンツを受信するコンテンツ受信部と、
前記コンテンツ受信部により受信済みのコンテンツのコンテンツ情報を格納するコンテンツ情報格納部と、
前記コンテンツ情報格納部のコンテンツ情報を参照して、前記コンテンツ受信部で新たに受信しようとするコンテンツが過去に受信した受信済みのコンテンツであるかどうかを判定する再コンテンツ判定部と、
前記新たに受信しようとするコンテンツについて、前記再コンテンツ判定部による判定結果に応じた処理をする処理部とを備えた
ことを特徴とするコンテンツ受信装置。
【請求項２】
前記請求項１記載のコンテンツ受信装置において、
前記コンテンツ受信部により受信するコンテンツは、当該コンテンツ受信装置の外部から配信された配信番組であると共に、前記コンテンツ情報は、その配信番組の番組タイトルであり、
前記再コンテンツ判定部は、
前記番組タイトルに基づいて、前記コンテンツ受信部で新たに受信しようとするコンテンツが過去に受信した受信済みのコンテンツであるかどうかを判定する
ことを特徴とするコンテンツ受信装置。
【請求項３】
前記請求項１記載のコンテンツ受信装置において、
前記コンテンツ情報は、コンテンツに付与されているコンテンツＩＤであり、
前記再コンテンツ判定部は、
前記コンテンツＩＤに基づいて、前記コンテンツ受信部で新たに受信しようとするコンテンツが過去に受信した受信済みのコンテンツであるかどうかを判定する
ことを特徴とするコンテンツ受信装置。
【請求項４】
前記請求項１記載のコンテンツ受信装置において、
前記コンテンツ情報は、コンテンツが格納されているコンテンツファイルのファイルサイズであり、
前記再コンテンツ判定部は、
前記ファイルサイズに基づいて、前記コンテンツ受信部で新たに受信しようとするコンテンツが過去に受信した受信済みのコンテンツであるかどうかを判定する
ことを特徴とするコンテンツ受信装置。
【請求項５】
前記請求項１記載のコンテンツ受信装置において、
前記コンテンツ情報は、コンテンツが格納されているコンテンツファイルのファイル名であり、
前記再コンテンツ判定部は、
前記ファイル名に基づいて、前記コンテンツ受信部で新たに受信しようとするコンテンツが過去に受信した受信済みのコンテンツであるかどうかを判定する
ことを特徴とするコンテンツ受信装置。
【請求項６】
前記請求項１〜５の何れか一項に記載のコンテンツ受信装置において、
前記処理部は、
さらに、前記再コンテンツ判定部による判定結果を出力する判定結果出力部を備えた
ことを特徴とするコンテンツ受信装置。
【請求項７】
前記請求項１〜６の何れか一項に記載のコンテンツ受信装置において、
さらに、録画予約または録画の指示を受け付ける録画受付部を備えると共に、
前記処理部は、
前記録画受付部で受け付けた録画予約または録画の指示に応じて、前記コンテンツ受信部で受信したコンテンツを録画する録画部を備え、
前記コンテンツ情報格納部は、
前記録画部により録画済みのコンテンツのコンテンツ情報を格納し、
前記再コンテンツ判定部は、
前記コンテンツ情報格納部のコンテンツ情報を参照して、前記録画受付部で新たに録画予約または録画の指示を受け付けたコンテンツが、過去に録画した録画済みのコンテンツであるかどうかを判定する
ことを特徴とするコンテンツ受信装置。
【請求項８】
前記請求項１〜６の何れか一項に記載のコンテンツ受信装置において、
さらに、録画予約または録画の指示を受け付ける録画受付部を備えると共に、
前記処理部は、
前記録画受付部で受け付けた録画予約または録画の指示に応じて、前記コンテンツ受信部で受信したコンテンツを録画する録画部を備え、
前記コンテンツ情報格納部は、
前記録画部により録画済みのコンテンツのコンテンツ情報を格納し、
前記再コンテンツ判定部は、
前記コンテンツ情報格納部のコンテンツ情報を参照して、前記録画部で新たに録画を開始するコンテンツが、過去に録画した録画済みのコンテンツであるかどうかを判定する
ことを特徴とするコンテンツ受信装置。
【請求項９】
前記請求項１〜６の何れか一項に記載のコンテンツ受信装置において、
さらに、録画予約または録画の指示を受け付ける録画受付部を備えると共に、
前記処理部は、
前記録画受付部で受け付けた録画予約または録画の指示に応じて、前記コンテンツ受信部で受信したコンテンツを録画する録画部を備え、
前記コンテンツ情報格納部は、
前記録画部により録画済みのコンテンツのコンテンツ情報を格納し、
前記再コンテンツ判定部は、
前記コンテンツ情報格納部のコンテンツ情報を参照して、前記録画受付部で新たに録画予約を受け付けたコンテンツが、過去に録画予約した録画予約済みのコンテンツであるかどうかを判定する
ことを特徴とするコンテンツ受信装置。
【請求項１０】
前記請求項１〜６の何れか一項に記載のコンテンツ受信装置において、
前記コンテンツ受信部は、
コンテンツを受信するときに、当該コンテンツが格納されたコンテンツファイルをダウンロードする
ことを特徴とするコンテンツ受信装置。
【請求項１１】
前記請求項１０記載のコンテンツ受信装置において、
前記再コンテンツ判定部は、
前記コンテンツ受信部において、過去にダウンロードしたコンテンツファイルを再ダウンロードしようとするとき、過去のダウンロード場所とは異なる場所に前記コンテンツファイルを保存しようとする場合であっても、過去にダウンロードしたコンテンツファイルであると判定し、
前記処理部は、ダウンロード済みであることを示す判定結果を出力する
ことを特徴とするコンテンツ受信装置。
【請求項１２】
前記請求項１〜１１の何れか一項に記載のコンテンツ受信装置において、
前記処理部は、
前記再コンテンツ判定部において、前記コンテンツ受信部で新たに受信しようとするコンテンツが、過去に受信した受信済みのコンテンツまたは過去に録画した録画済みのコンテンツであると判定されたとき、前記コンテンツ受信部で新たに受信しようとするコンテンツの受信または録画を中止する
ことを特徴とするコンテンツ受信装置。
【請求項１３】
前記請求項１〜１１の何れか一項に記載のコンテンツ受信装置において、
前記処理部は、
前記再コンテンツ判定部において、前記コンテンツ受信部で新たに受信しようとするコンテンツが、過去に受信した受信済みのコンテンツまたは過去に録画した録画済みのコンテンツであると判定されたとき、前記コンテンツ受信部で新たに受信しようとするコンテンツの受信または録画を中止するかどうかを選択する画面を出力し、その中止の指示を受けた場合に、前記コンテンツ受信部で新たに受信しようとするコンテンツの受信または録画を中止する
ことを特徴とするコンテンツ受信装置。
【請求項１４】
前記請求項１〜１１のいずれか記載のコンテンツ受信装置において、
さらに、前記再コンテンツ判定部において、前記コンテンツ受信部で新たに受信しようとするコンテンツが過去に受信した受信済みのコンテンツまたは過去に録画した録画済みのコンテンツであると判定されたとき、その受信済みのコンテンツまたは録画済みのコンテンツが当該コンテンツ受信装置内から削除されているかどうかを判別する削除判別部を備え、
前記処理部は、
前記削除判別部により削除済みとの判別結果である場合に、コンテンツの受信または録画を実施する
ことを特徴とするコンテンツ受信装置。
【請求項１５】
前記請求項１〜１２の何れか一項に記載のコンテンツ受信装置において、
さらに、前記再コンテンツ判定部において、前記コンテンツ受信部で新たに受信しようとするコンテンツが、過去に受信した受信済みのコンテンツまたは過去に録画した録画済みのコンテンツであると判定されたとき、当該コンテンツ受信装置内に格納されている受信済みのコンテンツまたは録画済みのコンテンツを検索するデータ検索部を備えると共に、
前記処理部は、
前記データ検索部で検索したコンテンツを再生または実行するデータ実行部を備えた
ことを特徴とするコンテンツ受信装置。
【請求項１６】
前記請求項１記載のコンテンツ受信装置において、
前記コンテンツ受信部により受信するコンテンツは、ストリームデータであり、
前記処理部は、
前記ストリームデータを再生するコンテンツ再生部を備え、
前記コンテンツ情報格納部は、
前記コンテンツ再生部により再生済みのコンテンツのコンテンツ情報を格納し、
前記再コンテンツ判定部は、
前記コンテンツ情報格納部のコンテンツ情報を参照して、前記コンテンツ受信部で新たに受信しようとするコンテンツが過去に再生した再生済みのコンテンツであるかどうかを判定する
ことを特徴とするコンテンツ受信装置。
【請求項１７】
前記請求項１〜１６の何れか一項に記載のコンテンツ受信装置において、
前記再コンテンツ判定部は、
新たに受信しようとするコンテンツまたは新たに録画しようとするコンテンツを特定する情報の一部が、前記コンテンツ情報格納部のコンテンツ情報の一部と一致する場合に、過去に受信した受信済みのコンテンツまたは過去に録画した録画済みのコンテンツであると判定する
ことを特徴とするコンテンツ受信装置。
【請求項１８】
前記請求項１〜１６の何れか一項に記載のコンテンツ受信装置において、
前記再コンテンツ判定部は、
新たに受信しようとするコンテンツまたは新たに録画しようとするコンテンツを特定する情報を構成する単語の少なくとも１つが前記コンテンツ情報格納部のコンテンツ情報の一部と一致する場合に、過去に受信した受信済みのコンテンツまたは過去に録画した録画済みのコンテンツであると判定する
ことを特徴とするコンテンツ受信装置。
【請求項１９】
前記請求項１７又は１８記載のコンテンツ受信装置において、
前記処理部は、
さらに、前記再コンテンツ判定部による判定結果を出力する判定結果出力部を備えた
ことを特徴とするコンテンツ受信装置。
【請求項２０】
コンテンツを受信するコンテンツ受信部と、
前記コンテンツ受信部により受信したコンテンツをデータ蓄積装置に記録するコンテンツ記録部と、
前記データ蓄積装置内のコンテンツを検索して、前記コンテンツ受信部で新たに受信しようとするコンテンツが、過去に記録した記録済みのコンテンツであるかどうかを判定する再コンテンツ検索判定部と、
前記新たに受信しようとするコンテンツについて、前記再コンテンツ検索判定部による判定結果に応じた処理をする処理部とを備えた
ことを特徴とするコンテンツ受信装置。
【請求項２１】
前記請求項１記載のコンテンツ受信装置と、
前記請求項２０記載のコンテンツ受信装置とを備えた
ことを特徴とするコンテンツ受信装置。
【請求項２２】
前記請求項２１記載のコンテンツ受信装置において、
さらに、前記請求項１記載のコンテンツ受信装置及び前記請求項２０記載のコンテンツ受信装置の何れか一方を選択して切り替える判別機能切替部とを備えた
ことを特徴とするコンテンツ受信装置。
【請求項２３】
前記請求項１記載のコンテンツ受信装置を備えた
ことを特徴とする録画装置。
【請求項２４】
前記請求項１記載のコンテンツ受信装置を備えた
ことを特徴とする再生装置。
【請求項２５】
前記請求項１記載のコンテンツ受信装置を備えた
ことを特徴とする受信装置。
【発明の詳細な説明】
【技術分野】
【０００１】
本発明は、コンテンツを受信するコンテンツ受信装置並びに録画装置、再生装置及び受信装置に関するものである。
【背景技術】
【０００２】
近年、ブロードバンドサービスの拡大に伴い、事業者がコンテンツを配信し、利用者がそのコンテンツを受信して録画・保存・再生を行う形態のサービスが急速に普及している。このようなサービスに用いられるシステムとして、事業者がコンテンツをコンテンツサーバに蓄積しておき、利用者が所望のコンテンツのコンテンツファイルを前記コンテンツサーバから受信して保存するシステムや、事業者がコンテンツをストリームデータとしてコンテンツサーバに蓄積しておき、利用者が所望のストリームデータを前記コンテンツサーバから受信して再生するシステムがある。
【０００３】
また、前記のように利用者がコンテンツを能動的に取得するのみならず、ＣＳやＣＡＴＶのように同一コンテンツを繰り返し配信することにより、利用者がコンテンツを取得する機会を増やしているシステムもある。
【０００４】
このように、様々なシステムによって利用者がコンテンツを取得する機会が増えており、利用者が取得するコンテンツが重複しないように管理・制御することが重要な課題となっている。
【０００５】
従来、上記のようなコンテンツ取得時の重複を管理・制御するシステムとして、例えば特許文献１に記載されるように、コンテンツを配信する事業者側が利用者を識別して、利用者からのコンテンツの取得要求が発生した際には、その取得要求のあったコンテンツが過去に取得されたコンテンツであるかを判定する技術が知られている。
【０００６】
前記特許文献１記載の技術では、利用者からのコンテンツの取得要求が発生した場合に当該コンテンツが取得済みであるかを判定し、既に取得済みであった場合には再取得の確認用Ｗｅｂページを表示することにより、不要な再取得となることを利用者に喚起している。
【特許文献１】特開２００３−５８４５０号公報
【発明の開示】
【発明が解決しようとする課題】
【０００７】
しかしながら、前記特許文献１記載の技術では、事業者側つまりコンテンツサーバにおいて、利用者が取得を要求したコンテンツが既に取得済みであるか否かを判定するので、過去にコンテンツを取得した事業者以外に取得を要求した場合や、ＣＳやＣＡＴＶ等のように利用者がコンテンツを受信したかを管理せずにコンテンツを配信する場合には、利用者が取得するコンテンツの重複を管理・制御することが不可能になるという課題がある。
【０００８】
また、ピアツーピアーのように接続されたコンピュータ間に上下関係がなく、事業者と利用者との関係が区別できないネットワークの形態でコンテンツを配信した場合には、事業者という概念がないため、利用者が取得するコンテンツの重複を管理・制御することができないという課題がある。
【０００９】
本発明は、前記の課題に着目してなされたものであり、その目的は、利用者がコンテンツを重複して取得しようとした場合であっても、取得するコンテンツが重複しないように利用者側で管理・制御することが可能なコンテンツ受信装置並びに録画装置、再生装置及び受信装置を提供することにある。
【課題を解決するための手段】
【００１０】
前記の目的を達成するために、本発明では、コンテンツを受信するコンテンツ受信装置において、当該コンテンツ受信装置によって、新たに受信しようとするコンテンツが過去に取得したコンテンツであるかどうかを判定する構成を採用する。
【００１１】
具体的に、請求項１記載の発明のコンテンツ受信装置は、コンテンツを受信するコンテンツ受信部と、前記コンテンツ受信部により受信済みのコンテンツのコンテンツ情報を格納するコンテンツ情報格納部と、前記コンテンツ情報格納部のコンテンツ情報を参照して、前記コンテンツ受信部で新たに受信しようとするコンテンツが過去に受信した受信済みのコンテンツであるかどうかを判定する再コンテンツ判定部と、前記新たに受信しようとするコンテンツについて、前記再コンテンツ判定部による判定結果に応じた処理をする処理部とを備えたことを特徴とする。
【００１２】
請求項２記載の発明は、前記請求項１記載のコンテンツ受信装置において、前記コンテンツ受信部により受信するコンテンツは、当該コンテンツ受信装置の外部から配信された配信番組であると共に、前記コンテンツ情報は、その配信番組の番組タイトルであり、前記再コンテンツ判定部は、前記番組タイトルに基づいて、前記コンテンツ受信部で新たに受信しようとするコンテンツが過去に受信した受信済みのコンテンツであるかどうかを判定することを特徴とする。
【００１３】
請求項３記載の発明は、前記請求項１記載のコンテンツ受信装置において、前記コンテンツ情報は、コンテンツに付与されているコンテンツＩＤであり、前記再コンテンツ判定部は、前記コンテンツＩＤに基づいて、前記コンテンツ受信部で新たに受信しようとするコンテンツが過去に受信した受信済みのコンテンツであるかどうかを判定することを特徴とする。
【００１４】
請求項４記載の発明は、前記請求項１記載のコンテンツ受信装置において、前記コンテンツ情報は、コンテンツが格納されているコンテンツファイルのファイルサイズであり、前記再コンテンツ判定部は、前記ファイルサイズに基づいて、前記コンテンツ受信部で新たに受信しようとするコンテンツが過去に受信した受信済みのコンテンツであるかどうかを判定することを特徴とする。
【００１５】
請求項５記載の発明は、前記請求項１記載のコンテンツ受信装置において、前記コンテンツ情報は、コンテンツが格納されているコンテンツファイルのファイル名であり、前記再コンテンツ判定部は、前記ファイル名に基づいて、前記コンテンツ受信部で新たに受信しようとするコンテンツが過去に受信した受信済みのコンテンツであるかどうかを判定することを特徴とする。
【００１６】
請求項６記載の発明は、前記請求項１〜５の何れか一項に記載のコンテンツ受信装置において、前記処理部は、さらに、前記再コンテンツ判定部による判定結果を出力する判定結果出力部を備えたことを特徴とする。
【００１７】
請求項７記載の発明は、前記請求項１〜６の何れか一項に記載のコンテンツ受信装置において、さらに、録画予約または録画の指示を受け付ける録画受付部を備えると共に、前記処理部は、前記録画受付部で受け付けた録画予約または録画の指示に応じて、前記コンテンツ受信部で受信したコンテンツを録画する録画部を備え、前記コンテンツ情報格納部は、前記録画部により録画済みのコンテンツのコンテンツ情報を格納し、前記再コンテンツ判定部は、前記コンテンツ情報格納部のコンテンツ情報を参照して、前記録画受付部で新たに録画予約または録画の指示を受け付けたコンテンツが、過去に録画した録画済みのコンテンツであるかどうかを判定することを特徴とする。
【００１８】
請求項８記載の発明は、前記請求項１〜６の何れか一項に記載のコンテンツ受信装置において、さらに、録画予約または録画の指示を受け付ける録画受付部を備えると共に、前記処理部は、前記録画受付部で受け付けた録画予約または録画の指示に応じて、前記コンテンツ受信部で受信したコンテンツを録画する録画部を備え、前記コンテンツ情報格納部は、前記録画部により録画済みのコンテンツのコンテンツ情報を格納し、前記再コンテンツ判定部は、前記コンテンツ情報格納部のコンテンツ情報を参照して、前記録画部で新たに録画を開始するコンテンツが、過去に録画した録画済みのコンテンツであるかどうかを判定することを特徴とする。
【００１９】
請求項９記載の発明は、前記請求項１〜６の何れか一項に記載のコンテンツ受信装置において、さらに、録画予約または録画の指示を受け付ける録画受付部を備えると共に、前記処理部は、前記録画受付部で受け付けた録画予約または録画の指示に応じて、前記コンテンツ受信部で受信したコンテンツを録画する録画部を備え、前記コンテンツ情報格納部は、前記録画部により録画済みのコンテンツのコンテンツ情報を格納し、前記再コンテンツ判定部は、前記コンテンツ情報格納部のコンテンツ情報を参照して、前記録画受付部で新たに録画予約を受け付けたコンテンツが、過去に録画予約した録画予約済みのコンテンツであるかどうかを判定することを特徴とする。
【００２０】
請求項１０記載の発明は、前記請求項１〜６の何れか一項に記載のコンテンツ受信装置において、前記コンテンツ受信部は、コンテンツを受信するときに、当該コンテンツが格納されたコンテンツファイルをダウンロードすることを特徴とする。
【００２１】
請求項１１記載の発明は、前記請求項１０記載のコンテンツ受信装置において、前記再コンテンツ判定部は、前記コンテンツ受信部において、過去にダウンロードしたコンテンツファイルを再ダウンロードしようとするとき、過去のダウンロード場所とは異なる場所に前記コンテンツファイルを保存しようとする場合であっても、過去にダウンロードしたコンテンツファイルであると判定し、前記処理部は、ダウンロード済みであることを示す判定結果を出力することを特徴とする。
【００２２】
請求項１２記載の発明は、前記請求項１〜１１の何れか一項に記載のコンテンツ受信装置において、前記処理部は、前記再コンテンツ判定部において、前記コンテンツ受信部で新たに受信しようとするコンテンツが、過去に受信した受信済みのコンテンツまたは過去に録画した録画済みのコンテンツであると判定されたとき、前記コンテンツ受信部で新たに受信しようとするコンテンツの受信または録画を中止することを特徴とする。
【００２３】
請求項１３記載の発明は、前記請求項１〜１１の何れか一項に記載のコンテンツ受信装置において、前記処理部は、前記再コンテンツ判定部において、前記コンテンツ受信部で新たに受信しようとするコンテンツが、過去に受信した受信済みのコンテンツまたは過去に録画した録画済みのコンテンツであると判定されたとき、前記コンテンツ受信部で新たに受信しようとするコンテンツの受信または録画を中止するかどうかを選択する画面を出力し、その中止の指示を受けた場合に、前記コンテンツ受信部で新たに受信しようとするコンテンツの受信または録画を中止することを特徴とする。
【００２４】
請求項１４記載の発明は、前記請求項１〜１１のいずれか記載のコンテンツ受信装置において、さらに、前記再コンテンツ判定部において、前記コンテンツ受信部で新たに受信しようとするコンテンツが過去に受信した受信済みのコンテンツまたは過去に録画した録画済みのコンテンツであると判定されたとき、その受信済みのコンテンツまたは録画済みのコンテンツが当該コンテンツ受信装置内から削除されているかどうかを判別する削除判別部を備え、前記処理部は、前記削除判別部により削除済みとの判別結果である場合に、コンテンツの受信または録画を実施することを特徴とする。
【００２５】
請求項１５記載の発明は、前記請求項１〜１２の何れか一項に記載のコンテンツ受信装置において、さらに、前記再コンテンツ判定部において、前記コンテンツ受信部で新たに受信しようとするコンテンツが、過去に受信した受信済みのコンテンツまたは過去に録画した録画済みのコンテンツであると判定されたとき、当該コンテンツ受信装置内に格納されている受信済みのコンテンツまたは録画済みのコンテンツを検索するデータ検索部を備えると共に、前記処理部は、前記データ検索部で検索したコンテンツを再生または実行するデータ実行部を備えたことを特徴とする。
【００２６】
請求項１６記載の発明は、前記請求項１記載のコンテンツ受信装置において、前記コンテンツ受信部により受信するコンテンツは、ストリームデータであり、前記処理部は、前記ストリームデータを再生するコンテンツ再生部を備え、前記コンテンツ情報格納部は、前記コンテンツ再生部により再生済みのコンテンツのコンテンツ情報を格納し、前記再コンテンツ判定部は、前記コンテンツ情報格納部のコンテンツ情報を参照して、前記コンテンツ受信部で新たに受信しようとするコンテンツが過去に再生した再生済みのコンテンツであるかどうかを判定することを特徴とする。
【００２７】
請求項１７記載の発明は、前記請求項１〜１６の何れか一項に記載のコンテンツ受信装置において、前記再コンテンツ判定部は、新たに受信しようとするコンテンツまたは新たに録画しようとするコンテンツを特定する情報の一部が、前記コンテンツ情報格納部のコンテンツ情報の一部と一致する場合に、過去に受信した受信済みのコンテンツまたは過去に録画した録画済みのコンテンツであると判定することを特徴とする。
【００２８】
請求項１８記載の発明は、前記請求項１〜１６の何れか一項に記載のコンテンツ受信装置において、前記再コンテンツ判定部は、新たに受信しようとするコンテンツまたは新たに録画しようとするコンテンツを特定する情報を構成する単語の少なくとも１つが前記コンテンツ情報格納部のコンテンツ情報の一部と一致する場合に、過去に受信した受信済みのコンテンツまたは過去に録画した録画済みのコンテンツであると判定することを特徴とする。
【００２９】
請求項１９記載の発明は、前記請求項１７又は１８記載のコンテンツ受信装置において、前記処理部は、さらに、前記再コンテンツ判定部による判定結果を出力する判定結果出力部を備えたことを特徴とする。
【００３０】
請求項２０記載の発明のコンテンツ受信装置は、コンテンツを受信するコンテンツ受信部と、前記コンテンツ受信部により受信したコンテンツをデータ蓄積装置に記録するコンテンツ記録部と、前記データ蓄積装置内のコンテンツを検索して、前記コンテンツ受信部で新たに受信しようとするコンテンツが、過去に記録した記録済みのコンテンツであるかどうかを判定する再コンテンツ検索判定部と、前記新たに受信しようとするコンテンツについて、前記再コンテンツ検索判定部による判定結果に応じた処理をする処理部とを備えたことを特徴とする。
【００３１】
請求項２１記載の発明は、前記請求項１記載のコンテンツ受信装置と、前記請求項２０記載のコンテンツ受信装置とを備えたことを特徴とする。
【００３２】
請求項２２記載の発明は、前記請求項２１記載のコンテンツ受信装置において、さらに、前記請求項１記載のコンテンツ受信装置及び前記請求項２０記載のコンテンツ受信装置の何れか一方を選択して切り替える判別機能切替部とを備えたことを特徴とする。
【００３３】
請求項２３記載の発明の録画装置は、前記請求項１記載のコンテンツ受信装置を備えたことを特徴とする。
【００３４】
請求項２４記載の発明の再生装置は、前記請求項１記載のコンテンツ受信装置を備えたことを特徴とする。
【００３５】
請求項２５記載の発明の受信装置は、前記請求項１記載のコンテンツ受信装置を備えたことを特徴とする。
【００３６】
以上により、請求項１〜１９及び請求項２３〜２５記載の発明では、再コンテンツ判定部において、新たに受信しようとするコンテンツが受信済みのコンテンツであると判定した場合には、例えばその新たな受信を停止するかどうかの画面を出力するので、コンテンツ受信装置つまり利用者側で取得するコンテンツの重複を管理・制御することが可能となる。
【００３７】
また、請求項２０記載の発明では、過去に受信した受信済みコンテンツのコンテンツ情報が当該コンテンツ受信装置内に格納されていない場合であっても、再コンテンツ検索判定部において、データ蓄積装置内のコンテンツを検索することにより、新たに受信しようとするコンテンツが受信済みのコンテンツであるかどうかを判定するので、受信済みコンテンツのコンテンツ情報を用いることなく、コンテンツ受信装置側で取得するコンテンツの重複を管理・制御することが可能となる。
【００３８】
また、請求項２１及び２２記載の発明では、コンテンツ情報を用いたコンテンツの重複管理と、データ蓄積装置内のコンテンツを用いたコンテンツの重複管理とを用いることによって、コンテンツ受信装置側でのコンテンツの管理・制御をより正確に行うことが可能となる。
【発明の効果】
【００３９】
以上説明したように、請求項１〜２５記載のコンテンツ受信装置並びに録画装置及び再生装置及び受信装置によれば、コンテンツ受信装置によって、取得するコンテンツの重複を判定するので、複数の事業者、ＣＳやＣＡＴＶ、ピアツーピアーによってコンテンツを取得する場合であっても、利用者が取得するコンテンツの重複を管理・制御することが可能となる。
【発明を実施するための最良の形態】
【００４０】
以下、本発明の実施形態のコンテンツ受信装置を図面に基づいて説明する。
【００４１】
（第１の実施形態）
図１は、本発明の第１の実施形態のコンテンツ受信装置の全体構成を示したブロック図である。
【００４２】
同図において、コンテンツ受信装置１００は、コンテンツ受信部１０１と、再コンテンツ判定部１０２と、処理部１０３と、コンテンツ情報格納部１０４と、コンテンツ情報ＤＢ１０５とを備えている。
【００４３】
コンテンツ受信部１０１は、放送局１５０からコンテンツを受信する。前記コンテンツ受信部１０１は、無線の通信手段が好適であるが有線の通信手段であってもよい。また、放送局１５０のみならず、インターネットを介してコンテンツサーバからコンテンツを受信してもよい。
【００４４】
コンテンツ情報格納部１０４は、前記コンテンツ受信部１０１により受信済みのコンテンツのコンテンツ情報をコンテンツ情報ＤＢ１０５に格納する。ここで、前記コンテンツ情報は、配信された配信番組の番組タイトル、コンテンツに付与されているコンテンツＩＤ、コンテンツが格納されているコンテンツファイルのファイルサイズ、コンテンツが格納されているコンテンツファイルのファイル名等のコンテンツを特定するための情報である。本実施形態では、コンテンツ情報をコンテンツ情報ＤＢ１０５に格納しているが、前記コンテンツ情報格納部１０４の内部に不揮発性の記録媒体や揮発性の記録媒体等を備え、そこにコンテンツ情報を格納してもよい。
【００４５】
再コンテンツ判定部１０２は、前記コンテンツ情報ＤＢ１０５に格納されたコンテンツ情報を参照して、前記コンテンツ受信部１０１で新たに受信しようとするコンテンツが、過去に受信した受信済みのコンテンツであるかどうかを判定する。この判定の際には、前記配信番組の番組タイトル、前記コンテンツＩＤ、前記コンテンツファイルのファイルサイズ、前記コンテンツファイルのファイル名等に基づいて、新たに受信しようとするコンテンツが過去に受信した受信済みコンテンツであるかどうかを判定する。
【００４６】
また、新たに受信しようとするコンテンツのコンテンツ情報の一部と、前記コンテンツ情報ＤＢ１０５内のコンテンツ情報の一部とが一致する場合に、過去に受信した受信済みコンテンツであると判断したり、新たに受信しようとするコンテンツのコンテンツ情報を構成する単語の少なくとも１つが、コンテンツ情報格納ＤＢ１０５内のコンテンツ情報の一部と一致する場合に、過去に受信した受信済みコンテンツであると判断したりする。さらに、上記の判定方法のいくつかを組み合わせて判定してもよい。
【００４７】
前記再コンテンツ判定部１０２は、ＭＰＵやメモリ等によって実現され、その内部における処理は、ＲＯＭ等の記録媒体に記録されたソフトウェアにより実現される。また、専用回路を設けてハードウェアによって判定処理を行ってもよい。
【００４８】
処理部１０３は、前記コンテンツ受信部１０１で新たに受信しようとするコンテンツについて、前記再コンテンツ判定部１０２による判定結果に応じた処理を行う。前記再コンテンツ判定部１０２において、過去に受信した受信済みコンテンツであると判定されたときには、前記コンテンツ受信部１０１で新たに受信しようとするコンテンツの受信を中止する。
【００４９】
前記処理部１０３は、ＭＰＵやメモリ等によって実現され、その内部における処理は、ＲＯＭ等の記録媒体に記録されたソフトウェアにより実現される。また、専用回路を設けてハードウェアによって処理を行ってもよい。
【００５０】
図２は、本実施形態のコンテンツ受信装置１００における処理フローを示したフロー図である。
【００５１】
まず、コンテンツ受信部１０１において、受信しようとするコンテンツのコンテンツ情報（受信コンテンツ情報）を入手する（ステップＳ２０１）。次に、再コンテンツ判定部１０２において、過去に受信した受信済みのコンテンツのコンテンツ情報（既存コンテンツ情報）をコンテンツ情報ＤＢ１０５から入手して（ステップＳ２０２）、前記受信コンテンツ情報と前記既存コンテンツ情報とを比較する（ステップＳ２０３）。
【００５２】
前記ステップＳ２０３の再コンテンツ判定部１０２におけるコンテンツ情報の比較では、配信番組の番組タイトル、コンテンツＩＤ、コンテンツファイルのファイルサイズ、コンテンツファイルのファイル名等を用いる。また、受信コンテンツ情報の一部と既存コンテンツ情報の一部とが一致する場合や、番組タイトル内の単語のようにコンテンツ情報を構成する単語の少なくとも１つ以上が一致する場合に、新たに受信しようとするコンテンツと、過去に受信した受信済みのコンテンツとが一致していると判定する。
【００５３】
再コンテンツ判定部１０２において、コンテンツ受信部１０１で新たに受信しようとするコンテンツが、過去に受信した受信済みのコンテンツであると判定されたときには（ステップＳ２０４）、処理部１０３において、受信済み時の規定処理を実施する（ステップＳ２０５）。
【００５４】
この規定処理では、前記再コンテンツ判定部１０２による判定結果を出力装置に出力したり、前記コンテンツ受信部１０１によるコンテンツの受信を中止したりする。また、図３のように、判定結果出力部３０６をさらに備えることによって、前記再コンテンツ判定部１０２の判定結果や、受信を中止するかどうかを選択させるための画面を出力装置３０７に出力し、受信を中止するかどうかを利用者に選択させる。
【００５５】
前記再コンテンツ判定部１０２において、新たに受信しようとするコンテンツが、過去に受信した受信済みのコンテンツではないと判定されたときには（ステップＳ２０４）、前記処理部１０３においてコンテンツ受信処理を実施して、前記コンテンツ受信部１０１によりコンテンツを受信する（ステップＳ２０６）。その後、コンテンツ情報格納部１０４によって、新たに受信したコンテンツのコンテンツ情報をコンテンツ情報ＤＢ１０５に格納する（ステップＳ２０７）。
【００５６】
尚、同図において、ステップＳ２０２及びステップＳ２０３では、一部の既存コンテンツ情報の入手を繰り返しながら、その既存コンテンツ情報の入手の度に受信コンテンツ情報との比較を行う処理であってもよい。また、電源オフや処理終了の割り込みが発生した際には、これらの一連のコンテンツ受信処理は終了する。
【００５７】
上記のように、本実施形態では、再コンテンツ判定部１０２において、コンテンツ受信部１１０で新たに受信しようとするコンテンツが、過去に受信した受信済みのコンテンツであるかどうかを判定して、受信済みのコンテンツであると判定した場合には、その新たな受信を中止するので、当該コンテンツ受信装置つまり利用者側で受信するコンテンツの重複を管理・制御することが可能となる。
【００５８】
また、図３のように、判定結果出力部３０６を設けて、再コンテンツ判定部１０２による判定結果を出力装置３０７を通して利用者に通知することにより、利用者が重複受信である又は重複受信の可能性があることを認識することができると共に、新たな受信を中止するかどうかを利用者に選択させることが可能となる。
【００５９】
尚、本実施形態のコンテンツ受信装置における処理動作は、ソフトウェアで実現しても良く、このソフトウェアをソフトウェアダウンロードやＣＤ−ＲＯＭなどの記録媒体等により配布しても良い。
【００６０】
（第２の実施形態）
図４は、本発明の第２の実施形態のコンテンツ受信装置の全体構成を示したブロック図である。
【００６１】
本実施形態のコンテンツ受信装置４００が図１に示した第１の実施形態のコンテンツ受信装置１００と異なる点は、録画受付部４１０とデータ蓄積装置４０８とを備えると共に、処理部１０３の内部に、録画部４１１を備えている点のみである。その他の構成は、第１の実施形態と同様であるので、その説明は省略する。
【００６２】
同図において、利用者は入力装置４０９を用いて録画受付部４１０への録画予約や録画の指示を行う。前記入力装置４０９は、リモコン、マウス、キーボード、タッチパネル、音声入力装置等であり、利用者の指示をコンテンツ受信装置４００に入力する装置である。前記録画受付部４１０は、キーボード等の入力装置のデバイスドライバーやメニュー画面の制御ソフトウェア等であり、前記入力装置４０９に入力された録画予約や録画の指示を受け付ける。
【００６３】
録画部４１１は、前記録画受付部４１０で受け付けた録画予約または録画の指示に応じて、コンテンツ受信部１０１で受信したコンテンツをデータ蓄積装置４０８に録画する。前記録画部４１１は、ＭＰＵやメモリ等によって実現され、その内部における処理は、ＲＯＭ等の記録媒体に記録されたソフトウェアにより実現される。また、専用回路を設けてハードウェアによって処理を行ってもよい。
【００６４】
以下、本実施形態のコンテンツ受信装置４００の処理動作について、図４及び図５を用いて説明する。
【００６５】
まず、入力装置４０９を用いて、利用者が録画予約または録画の指示をすると、録画受付部４１０がその録画予約または録画の指示を受け付ける。この録画予約または録画の指示を受け付ける際に、コンテンツ受信部１０１において、新たに受信して録画しようとするコンテンツのコンテンツ情報（受信コンテンツ情報）を入手する。
【００６６】
その後、再コンテンツ判定部１０２において、過去に録画した録画済みのコンテンツのコンテンツ情報（既存コンテンツ情報）をコンテンツ情報ＤＢ１０５から入手し、前記受信コンテンツ情報と前記既存コンテンツ情報とを比較する。前記再コンテンツ判定部１０２において、新たに録画予約または録画の指示をしたコンテンツが過去に録画した録画済みコンテンツであると判定された場合には、録画部４１１において、録画済み時の規定処理を行う。
【００６７】
この規定処理では、再コンテンツ判定部１０２による判定結果を出力して録画や録画予約を中止したりする。また、上記の図３のように、判定結果出力部３０６をさらに備えることによって、録画や録画予約を中止するかどうかを選択させるための画面を出力装置３０７に出力し、録画を中止するかどうかを利用者に選択させる。尚、出力とは、ディスプレイへの表示、プリンタへの印字、音出力、外部の装置への送信等によって行われる。
【００６８】
また、当該コンテンツ受信装置４００では、録画予約したコンテンツを録画部４１１で録画の開始をする際に、再度、コンテンツ受信部１０１で受信コンテンツ情報を入手し、再コンテンツ判定部１０２において、前記受信コンテンツ情報と既存のコンテンツ情報とを比較する。前記再コンテンツ判定部１０２で比較した結果、新たに録画しようとするコンテンツが過去に録画した録画済みのコンテンツであると判定した場合には、処理部１０３において、録画済み時の規定処理を実施する。
【００６９】
再コンテンツ判定部１０２において判定した結果、新たに録画しようとするコンテンツが録画済みのコンテンツではないと判定された場合には、録画部４１１において録画を開始して、コンテンツをデータ蓄積装置４０８に記録する。
【００７０】
さらに、本実施形態のコンテンツ受信装置４００において、録画予約したコンテンツのコンテンツ情報を、一旦、前記再コンテンツ判定部１０２に格納することにより、このコンテンツ情報と受信コンテンツ情報とを比較して、録画予約したコンテンツが過去に録画予約済みのコンテンツであるかどうかを判定することも可能となる。この際、新たに録画予約したコンテンツが過去に録画予約済みのコンテンツであると判定された場合には、前記処理部１０３において、上記の録画済み時の規定処理と同様の処理を行う。
【００７１】
図５は、本実施形態のコンテンツ受信装置４００における再録画予約の判定処理を示した模式図である。
【００７２】
同図（Ａ）、同図（Ｂ）、同図（Ｃ）において、録画予約済みコンテンツと再録画予約しようとするコンテンツとは同一のコンテンツであり、放送や配信される時間が異なるものとする。
【００７３】
同図（Ａ）は、録画済みのコンテンツを再録画しようとしたときの判定処理を示しており、再録画の予約を行った時に録画済み時の規定処理を実施する。
【００７４】
同図（Ｂ）は、録画予約済みのコンテンツが録画される前に、同一内容のコンテンツを再度録画予約したときの判定処理を示しており、同一内容のコンテンツを重複して録画しようとした時に、録画済み時の規定処理を実施する。
【００７５】
同図（Ｃ）は、録画予約済みのコンテンツが録画される前に、同一内容のコンテンツを再度録画予約したときの判定処理を示しており、同一内容の録画予約を行った時に録画予約済みの規定処理を実施する。
【００７６】
上記のように、本実施形態では、再コンテンツ判定部１０２において、録画部４１１で新たに録画しようとするコンテンツが、過去に録画した録画済みのコンテンツや録画予約済みのコンテンツであるかどうかを判定して、録画済みや録画予約済みであると判定したときには、その新たな録画を中止するので、当該コンテンツ受信装置つまり利用者側で録画するコンテンツの重複を管理・制御することが可能となる。
【００７７】
（第３の実施形態）
図６は、本発明の第３の実施形態のコンテンツ受信装置の全体構成を示したブロック図である。
【００７８】
本実施形態のコンテンツ受信装置６００が図１に示した第１の実施形態のコンテンツ受信装置１００と異なる点は、データ蓄積装置４０８を備えると共に、処理部１０３の内部に、コンテンツ記録部６１２を備えている点のみである。その他の構成は、第１の実施形態と同様であるので、その説明は省略する。
【００７９】
同図において、コンテンツ記録部６１２は、コンテンツ受信部１０１により受信したコンテンツをデータ蓄積装置４０８に記録する。
【００８０】
本実施形態において、前記コンテンツ受信部１０１は、コンテンツを受信するときに、当該コンテンツが格納されたコンテンツファイルをダウンロードし、前記コンテンツ記録部６１２は、そのコンテンツファイルをデータ蓄積装置４０８に記録する。
【００８１】
以下に、本実施形態のコンテンツ受信装置６００の処理動作について、図６を用いて説明する。
【００８２】
まず、コンテンツ受信部１０１において、新たにダウンロードしようとするコンテンツのコンテンツ情報（受信コンテンツ情報）を入手する。次に、再コンテンツ判定部１０２において、過去にダウンロードしたダウンロード済みのコンテンツのコンテンツ情報（既存コンテンツ情報）をコンテンツ情報ＤＢ１０５から入手して、前記受信コンテンツ情報と前記既存コンテンツ情報とを比較する。
【００８３】
前記再コンテンツ判定部１０２において、コンテンツ受信部１０１で新たに受信してダウンロードしようとするコンテンツが、過去に受信してダウンロードしたダウンロード済みのコンテンツであると判定されたときには、処理部１０３において、ダウンロード済み時の規定処理を実施する。この規定処理では、前記再コンテンツ判定部１０２による判定結果を出力装置に出力してダウンロードを中止したりする。また、図３のように、当該コンテンツ受信装置の内部に判定結果出力部３０６をさらに設けることによって、ダウンロード済みのコンテンツを再度受信してダウンロードするかどうかを選択する画面を出力装置３０７に出力し、利用者にダウンロードを中止するかどうかを選択させることが可能となる。
【００８４】
前記再コンテンツ判定部１０２において、新たに受信してダウンロードしようとするコンテンツが、過去に受信してダウンロードしたダウンロード済みコンテンツではないと判定されたときには、前記コンテンツ受信部１０１によりコンテンツをダウンロードして、コンテンツ記録部６１２において、ダウンロードしたコンテンツをデータ蓄積装置４０８に保存する。その後、コンテンツ情報格納部１０４によって、新たに受信してダウンロードしたコンテンツのコンテンツ情報をコンテンツ情報ＤＢ１０５に格納する。
【００８５】
上記のように、本実施形態では、再コンテンツ判定部１０２において、コンテンツ受信部１０１で新たに受信してダウンロードしようとするコンテンツが、過去にダウンロードしたダウンロード済みのコンテンツであるかどうかを判定して、ダウンロード済みのコンテンツであると判定した場合には、その新たなダウンロードを中止するので、当該コンテンツ受信装置によって、ダウンロードするコンテンツの重複を管理・制御することが可能となる。
【００８６】
また、パソコンや携帯電話等のネットワーク機器において新たにコンテンツファイルをダウンロードする際に、過去にダウンロードしたコンテンツファイルを再ダウンロードしようとするとき、従来では同一のダウンロード場所以外へのダウンロードは許容されて重複保存が為されていたが、本実施形態では、過去のダウンロード場所とは異なる場所に新たなコンテンツファイルを保存しようとした場合であっても、再コンテンツ判定部１０２がコンテンツ情報ＤＢ１０５内の既存コンテンツ情報を参照して、その新たなダウンロードが再ダウンロードであることを判定して、コンテンツのダウンロードの重複を防止することができる。
【００８７】
（第４の実施形態）
図７は、本発明の第４の実施形態のコンテンツ受信装置の全体構成を示したブロック図である。
【００８８】
本実施形態のコンテンツ受信装置７００が図６に示した第３の実施形態のコンテンツ受信装置６００と異なる点は、さらに削除判別部７１３を備えている点のみである。その他の構成は、第３の実施形態と同様であるので、その説明は省略する。
【００８９】
削除判別部７１３は、再コンテンツ判定部１０２において、新たに受信して記録（録画）しようとするコンテンツが過去に録画した録画済みのコンテンツであると判定されたときに、その録画済みのコンテンツがデータ蓄積装置４０８内から削除されているかどうかを判別する。
【００９０】
前記削除判別部７１３は、ＭＰＵやメモリ等によって実現され、その内部における処理は、ＲＯＭ等の記録媒体に記録されたソフトウェアにより実現される。また、専用回路を設けてハードウェアによって処理を行ってもよい。
【００９１】
図８は、本実施形態のコンテンツ受信装置７００における処理フローを示したフロー図である。
【００９２】
同図において、ステップＳ２０１〜ステップＳ２０３までの処理は図２に示した第１の実施形態と同様であるので、その説明は省略する。
【００９３】
再コンテンツ判定部１０２において、コンテンツ受信部１０１で新たに受信して録画しようとするコンテンツが、過去に録画した録画済みのコンテンツであると判定されたときには（ステップＳ２０４）、削除判別部７１３において、その録画済みのコンテンツがデータ蓄積装置４０８内に存在するかどうかを検索する（ステップＳ８０８）。前記削除判別部７１３により、前記録画済みのコンテンツがデータ蓄積装置４０８内から削除されていると判別された場合（ステップＳ８０９）、録画済みと判定されたコンテンツの受信や録画を行う（ステップＳ８１０）。その後、コンテンツ情報格納部１０４によって、新たに録画したコンテンツのコンテンツ情報をコンテンツ情報ＤＢ１０５に格納する（ステップＳ２０７）。
【００９４】
前記削除判別部７１３により、前記録画済みのコンテンツがデータ蓄積装置４０８内から削除されていないと判断された場合（ステップＳ８０９）、処理部１０３において、録画済み時の規定処理を実施する（ステップＳ２０５）。
【００９５】
また、再コンテンツ判定部１０２において、新たに受信して録画しようとするコンテンツが過去に録画した録画済みのコンテンツではないと判定されたときには（ステップＳ２０４）、コンテンツの受信処理を実施して、コンテンツ受信部１０１において、そのコンテンツを新たに受信して録画する（ステップＳ８１０）。その後、コンテンツ情報格納部１０４によって、新たに録画したコンテンツのコンテンツ情報をコンテンツ情報ＤＢ１０５に格納する（ステップＳ２０７）。
【００９６】
上記のように、過去に録画した後に削除されたコンテンツがあった場合には、当該コンテンツ受信装置には、そのコンテンツのコンテンツ情報が残っているために、受信済みと判断されてしまうが、過去に受信済みであっても、データ蓄積装置４０８内を検索することにより、既に削除されているコンテンツに関しては、そのコンテンツの再受信や再録画を行うことが可能となる。
【００９７】
尚、過去に受信や録画したコンテンツの削除時に、そのコンテンツのコンテンツ情報をも削除することによって、本実施形態と同様の効果が得られる。
【００９８】
（第５の実施形態）
図９は、本発明の第５の実施形態のコンテンツ受信装置の全体構成を示したブロック図である。
【００９９】
本実施形態のコンテンツ受信装置９００が図１に示した第１の実施形態のコンテンツ受信装置１００と異なる点は、データ蓄積装置４０８とデータ検索部９１４とを備えると共に、処理部１０３の内部に、データ実行部９１５を備えている点のみである。その他の構成は、第１の実施形態と同様であるので、その説明は省略する。
【０１００】
同図において、データ蓄積装置４０８には、コンテンツ受信部１０１により過去に受信して録画した録画済みのコンテンツが格納されている。
【０１０１】
データ検索部９１４は、再コンテンツ判定部１０２において、前記コンテンツ受信部１０１で新たに受信しようとするコンテンツが、過去に録画した録画済みのコンテンツであると判定されたとき、前記データ蓄積装置４０８に格納されている録画済みのコンテンツを検索する。
【０１０２】
データ実行部９１５は、前記データ検索部９１５で検索したコンテンツを再生または実行する。このコンテンツは、前記コンテンツ受信部１０１で新たに受信しようとするコンテンツと同じコンテンツである。
【０１０３】
前記データ検索部９１４や前記データ実行部９１５は、ＭＰＵやメモリ等によって実現され、その内部における処理は、ＲＯＭ等の記録媒体に記録されたソフトウェアにより実現される。また、専用回路を設けてハードウェアによって処理を行ってもよい。
【０１０４】
図１０は、本実施形態のコンテンツ受信装置９００における処理フローを示したフロー図である。
【０１０５】
同図において、ステップＳ２０１〜ステップＳ２０３までの処理は、図２に示した第１の実施形態と同様であるので、その説明は省略する。
【０１０６】
再コンテンツ判定部１０２において、コンテンツ受信部１０１で新たに受信しようとするコンテンツが、過去に録画した録画済みのコンテンツであると判定されたときには、データ検索部９１４において、データ蓄積部４０８に格納されている録画済みのコンテンツを検索する（ステップＳ１０１１）。その後、前記データ検索部９１４で検索したコンテンツを再生または実行する（ステップＳ１０１２）。
【０１０７】
前記再コンテンツ判定部１０２において、新たに受信しようとしたコンテンツが、過去に録画した録画済みのコンテンツではないと判定されたときには、処理部１０３においてコンテンツの受信処理を実施して、その新たなコンテンツを受信する（ステップＳ２０６）。その後、コンテンツ情報格納部１０４によって、新たに受信したコンテンツのコンテンツ情報をコンテンツ情報ＤＢ１０５に格納する（ステップＳ２０７）。
【０１０８】
上記のように、本実施形態では、データ検索部９１４とデータ実行部９１５とを設けることによって、コンテンツ受信部１０１で受信しようとするコンテンツがデータ蓄積装置４０８に格納されている場合には、コンテンツの新たな受信を行うことなく、所望のコンテンツの再生や実行をすることが可能となる。
【０１０９】
尚、図３のコンテンツ受信装置３００のように、内部に判定結果出力部３０６や出力装置３０７を設けることによって、データ実行部９１５でコンテンツの再生または実行を行うかどうかを利用者に選択させることが可能となる。
【０１１０】
（第６の実施形態）
図１１は、本発明の第６の実施形態のコンテンツ受信装置の全体構成を示したブロック図である。
【０１１１】
本実施形態のコンテンツ受信装置１１００が図１に示した第１の実施形態のコンテンツ受信装置１００と異なる点は、出力装置３０７を備えると共に、処理部１０３の内部に、コンテンツ再生部１１１６を備えている点のみである。その他の構成は、第１の実施形態と同様であるので、その説明は省略する。
【０１１２】
本実施形態において、コンテンツ受信部１０１により受信するコンテンツはストリームデータであり、前記コンテンツ受信部１０１で受信したストリームデータはコンテンツ再生部１１１６で再生され、そのストリームデータは、出力装置３０７に表示される。
【０１１３】
コンテンツ再生部１１１６は、ＭＰＵやメモリ等によって実現され、その内部における処理は、ＲＯＭ等の記録媒体に記録されたソフトウェアにより実現される。また、専用回路を設けてハードウェアによって処理を行ってもよい。
【０１１４】
図１２は、本実施形態のコンテンツ受信装置１１００における処理フローを示したフロー図である。
【０１１５】
まず、コンテンツ受信部１０１において、受信して再生しようとするコンテンツのコンテンツ情報（受信コンテンツ情報）を入手する（ステップＳ２０１）。次に、再コンテンツ判定部１０２において、過去に受信して再生した再生済みのコンテンツのコンテンツ情報（既存コンテンツ情報）をコンテンツ情報ＤＢ１０５から入手して（ステップＳ２０２）、前記受信コンテンツ情報と既存コンテンツ情報とを比較する（ステップＳ２０３）。
【０１１６】
前記再コンテンツ判定部１０２において、コンテンツ受信部１０１で新たに受信して再生しようとするコンテンツが、過去に受信して再生した再生済みのコンテンツであると判定されたときには（ステップＳ１２０４）、処理部１０３において、コンテンツ取得済み時の規定処理を実施する（ステップＳ１２０５）。この規定処理では、前記再コンテンツ判定部１０２による判定結果を出力装置３０７に出力したり、前記コンテンツ受信部１０１によるコンテンツの受信をせずに再生を中止したりする。
【０１１７】
前記再コンテンツ判定部１０２において、新たに受信して再生しようとするコンテンツが、過去に受信して再生したコンテンツではないと判定されたときには（ステップＳ１２０４）、前記コンテンツ受信部１０１によりコンテンツを受信して、コンテンツ再生部１１１６において、受信したコンテンツを再生して、そのコンテンツを出力装置３０７に表示する（ステップＳ１２０６）。その後、コンテンツ情報格納部１０４によって、新たに受信して再生したコンテンツのコンテンツ情報をコンテンツ情報ＤＢ１０５に格納する（ステップＳ２０７）。
【０１１８】
上記のように、本実施形態では、コンテンツ受信部１０１により受信するコンテンツが、ビデオオンデマンドなどのストリームデータである場合であっても、再コンテンツ判定部１０２によって、新たに受信して再生しようとするストリームデータが過去に再生したストリームデータであるかどうかを判定するので、当該コンテンツ受信装置によって、ストリームデータを重複して再生することを管理・制御することが可能となる。
【０１１９】
尚、図３のコンテンツ受信装置３００のように、内部に判定結果出力部３０６を設けることによって、再生済みのストリームデータを再度受信して再生するかどうかを利用者に選択させることが可能となる。
【０１２０】
（第７の実施形態）
図１３は、本発明の第７の実施形態のコンテンツ受信装置の全体構成を示したブロック図である。
【０１２１】
同図において、コンテンツ受信装置１３００は、コンテンツ受信部１０１と、再コンテンツ検索判定部１３１７と、コンテンツ記録部６１２を有する処理部１０３と、データ蓄積装置４０８とを備えている。
【０１２２】
コンテンツ受信部１０１は、放送局１５０からコンテンツを受信し、コンテンツ記録部６１２は、前記コンテンツ受信部１０１で受信したコンテンツをデータ蓄積装置４０８内に記録する。
【０１２３】
再コンテンツ検索判定部１３１７は、前記データ蓄積装置４０８内の記録済みのコンテンツを検索して、前記コンテンツ受信部１０１で新たに受信して記録しようとするコンテンツが、過去に記録した記録済みのコンテンツであるかどうかを判定する。
【０１２４】
処理部１０３は、前記コンテンツ受信部１０１で新たに受信して記録しようとするコンテンツについて、前記再コンテンツ検索判定部１３１７による判定結果に応じた処理を行う。前記再コンテンツ検索判定部１３１７において、過去に記録した記録済みコンテンツであると判定されたときには、前記新たに受信して記録しようとするコンテンツの受信を中止する。
【０１２５】
図１４は、本実施形態のコンテンツ受信装置１３００における処理フローを示したフロー図である
まず、コンテンツ受信部１０１において、受信して記録しようとするコンテンツのコンテンツ情報（受信コンテンツ情報）を入手する（ステップＳ２０１）。次に、前記受信コンテンツ情報に基づいて、再コンテンツ検索判定部１３１７において、データ蓄積装置４０８内のコンテンツを検索し（ステップＳ１４１３）、前記受信して記録しようとするコンテンツがデータ蓄積装置４０８内に格納されているかどうかを判定する（ステップＳ１４１４）。
【０１２６】
前記ステップＳ１４１３および前記ステップＳ１４１４においては、前記データ蓄積装置４０８内に格納されている記録済みのコンテンツの情報と、前記受信コンテンツ情報とを比較し、その比較の際には、番組タイトル、コンテンツＩＤ、コンテンツファイルのファイルサイズ、コンテンツファイルのファイル名等を用いる。また、各々のコンテンツの情報の一部が一致する場合や、番組タイトル内の単語のようにコンテンツの情報を構成する単語の少なくとも１つ以上が一致する場合に、新たに受信して記録しようとするコンテンツと、過去に記録した記録済みのコンテンツとが一致していると判定する。
【０１２７】
再コンテンツ検索判定部１３１７において、コンテンツ受信部１０１で新たに受信して記録しようとするコンテンツが、データ蓄積装置４０８内に存在すると判定されたときには（ステップＳ１４１４）、処理部１０３において、記録済み時の規定処理を実施する（ステップＳ２０５）。この規定処理では、前記再コンテンツ検索判定部１３１７による判定結果を出力装置に出力したり、前記コンテンツ受信部１０１によるコンテンツの受信を中止したりする。また、図３のように、判定結果出力部３０６をさらに備えることによって、前記再コンテンツ検索判定部１３１７の判定結果や、受信を中止するかどうかを選択させるための画面を出力装置３０７に出力し、受信を中止するかどうかを利用者に選択させる。
【０１２８】
前記再コンテンツ検索判定部１３１７において、新たに受信して記録しようとするコンテンツが、データ蓄積装置４０８内に存在しないと判定されたときには（ステップＳ１４１４）、そのコンテンツの受信処理を実施して、コンテンツ記録部６１２において、データ蓄積装置４０８に当該コンテンツを録画する（ステップＳ２０６）。
【０１２９】
尚、同図において、電源オフや処理終了の割り込みが発生した際には、これらの一連のコンテンツ受信処理は終了する。
【０１３０】
上記のように、本実施形態では、過去に受信して記録した記録済みコンテンツのコンテンツ情報を、当該コンテンツ受信装置１３００内に格納していない場合であっても、データ蓄積装置４０８内に格納されている記録済みのコンテンツを直接検索することにより、コンテンツ受信部１０１で新たに受信して記録しようとするコンテンツが、過去に記録済みの記録済みコンテンツであるかどうかを判定して、記録済みのコンテンツであると判定した場合には、その新たな受信を中止するので、当該コンテンツ受信装置つまり利用者側で受信するコンテンツの重複を管理・制御することが可能となる。
【０１３１】
また、コンテンツ受信装置１３００に、当該コンテンツ受信装置１３００以外で受信したコンテンツが保存されているハードディスク、ディスクメディア、メモリやテープデバイス等のデータ蓄積装置を接続して、そのデータ蓄積装置に保存されたコンテンツをも検索できるようにした場合には、新たに受信して記録しようとするコンテンツが、そのデータ蓄積装置内にあるかどうかを判定できるので、さらに、利用者側で受信するコンテンツの重複を管理・制御することが可能となる。
【０１３２】
尚、本実施形態のコンテンツ受信装置における処理動作は、ソフトウェアで実現しても良く、このソフトウェアをソフトウェアダウンロードやＣＤ−ＲＯＭなどの記録媒体等により配布しても良い。
【０１３３】
（第８の実施形態）
図１５は、本発明の第８の実施形態のコンテンツ受信装置の全体構成を示すブロック図である。
【０１３４】
同図において、コンテンツ受信装置１５００は、コンテンツ受信部１０１と、再コンテンツ判定部１０２と、処理部１０３と、コンテンツ情報格納部１０４と、コンテンツ情報ＤＢ１０５と、データ蓄積装置４０８と、再コンテンツ検索判定部１３１７とを備えている。本実施形態のコンテンツ受信装置１５００の構成要素は、第１の実施形態及び第７の実施形態と同様であるので、その説明は省略する。
【０１３５】
図１６は、本実施形態のコンテンツ受信装置１５００における処理フローを示したフロー図である。
【０１３６】
まず、コンテンツ受信部１０１において、受信しようとするコンテンツのコンテンツ情報（受信コンテンツ情報）を入手する（ステップＳ２０１）。次に、再コンテンツ判定部１０２において、過去に受信した受信済みのコンテンツのコンテンツ情報（既存コンテンツ情報）をコンテンツ情報ＤＢ１０５から入手して（ステップＳ２０２）、前記受信コンテンツ情報と既存コンテンツ情報とを比較する（ステップＳ２０３）。
【０１３７】
前記ステップＳ２０３の再コンテンツ判定部１０２におけるコンテンツ情報の比較では、配信番組の番組タイトル、コンテンツＩＤ、コンテンツファイルのファイルサイズ、コンテンツファイルのファイル名等を用いる。また、受信コンテンツ情報の一部と既存コンテンツ情報の一部とが一致する場合や、番組タイトル内の単語のようにコンテンツ情報を構成する単語の少なくとも１つ以上が一致する場合に、新たに受信しようとするコンテンツと、過去に受信した受信済みのコンテンツとが一致していると判定する。
【０１３８】
再コンテンツ判定部１０２において、コンテンツ受信部１０１で新たに受信しようとするコンテンツが、過去に受信した受信済みのコンテンツであると判定されたときには（ステップＳ２０４）、処理部１０３において、受信済み時の規定処理を実施する（ステップＳ２０５）。
【０１３９】
この規定処理では、前記再コンテンツ判定部１０２による判定結果を出力装置に出力したり、前記コンテンツ受信部１０１によるコンテンツの受信を中止したりする。また、図３のように、判定結果出力部３０６をさらに備えることによって、前記再コンテンツ判定部１０２の判定結果や、受信を中止するかどうかを選択させるための画面を出力装置３０７に出力し、受信を中止するかどうかを利用者に選択させる。
【０１４０】
前記再コンテンツ判定部１０２において、新たに受信しようとするコンテンツが、受信済みのコンテンツではないと判定されたとき（ステップＳ２０４）、前記受信コンテンツ情報に基づいて、再コンテンツ検索判定部１３１７において、データ蓄積装置４０８内のコンテンツを検索し（ステップＳ１４１３）、前記受信しようとするコンテンツがデータ蓄積装置４０８内に格納されているかどうかを判定する（ステップＳ１４１４）。
【０１４１】
前記ステップＳ１４１３および前記ステップＳ１４１４においては、前記データ蓄積装置４０８内に格納されている記録済みのコンテンツの情報と、前記受信コンテンツ情報とを比較し、その比較の際には、番組タイトル、コンテンツＩＤ、コンテンツファイルのファイルサイズ、コンテンツファイルのファイル名等を用いる。また、各々のコンテンツの情報の一部が一致する場合や、番組タイトル内の単語のようにコンテンツの情報を構成する単語の少なくとも１つ以上が一致する場合に、新たに受信して記録しようとするコンテンツと、過去に記録した記録済みのコンテンツとが一致していると判定する。
【０１４２】
前記再コンテンツ検索判定部１３１７において、新たに受信しようとするコンテンツがデータ蓄積装置４０８内に存在すると判定されたときには（ステップＳ１４１４）、処理部１０３において、受信済み時の規定処理を実施する（ステップＳ２０５）。この規定処理では、前記再コンテンツ検索判定部１３１７による判定結果を出力装置に出力したり、前記コンテンツ受信部１０１によるコンテンツの受信を中止したりする。また、図３のように、判定結果出力部３０６をさらに備えることによって、前記再コンテンツ検索判定部１３１７の判定結果や、受信を中止するかどうかを選択させるための画面を出力装置３０７に出力し、受信を中止するかどうかを利用者に選択させる。
【０１４３】
前記再コンテンツ検索判定部１３１７において、新たに受信して記録しようとするコンテンツが、データ蓄積装置４０８内に存在しないと判定されたときには（ステップＳ１４１４）、そのコンテンツの受信処理を実施して、コンテンツ記録部６１２において、データ蓄積装置４０８に当該コンテンツを録画する（ステップＳ２０６）。その後、コンテンツ情報格納部１０４によって、新たに受信したコンテンツのコンテンツ情報をコンテンツ情報ＤＢ１０５に格納する（ステップＳ２０７）。
【０１４４】
尚、同図において、電源オフや処理終了の割り込みが発生した際には、これらの一連のコンテンツ受信処理は終了する。
【０１４５】
上記のように、本実施形態では、過去に受信した受信済みのコンテンツのコンテンツ情報をコンテンツ受信装置１５００内に格納している際には、そのコンテンツ情報を用いて新たに受信しようとするコンテンツが受信済みのコンテンツであるかどうかを判定し、受信済みのコンテンツのコンテンツ情報をコンテンツ受信装置１５００内に保存していない場合には、データ蓄積装置４０８に格納されている記録済みのコンテンツを直接検索して、新たに受信しようとするコンテンツが記録済み（受信済み）のコンテンツであるかどうかを判定するので、当該コンテンツ受信装置１５００内に過去に受信したコンテンツのコンテンツ情報を格納しているか否かに拘わらず、利用者側で受信するコンテンツの重複を管理・制御することが可能となる。
【０１４６】
尚、本実施形態のコンテンツ受信装置における処理動作は、ソフトウェアで実現しても良く、このソフトウェアをソフトウェアダウンロードやＣＤ−ＲＯＭなどの記録媒体等により配布しても良い。
【０１４７】
（第９の実施形態）
図１７は、本発明の第９の実施形態のコンテンツ受信装置の全体構成を示すブロック図である。
【０１４８】
同図において、コンテンツ受信装置１７００は、図１に示した第１の実施形態のコンテンツ受信装置１００と、図１３に示した第７の実施形態のコンテンツ受信装置１３００と、図１５に示した第８の実施形態のコンテンツ受信装置１５００とを統合したコンテンツ受信装置であり、その内部には、さらに判別機能切替部１７１８を備えている。
【０１４９】
判別機能切替部１７１８は、前記コンテンツ受信装置１００、前記コンテンツ受信装置１３００、及び前記コンテンツ受信装置１５００の何れ１つを選択して切り替えて、前記各々のコンテンツ受信装置１００、１３００、１５００の判別機能の切替を行う。
【０１５０】
以下に、本実施形態のコンテンツ受信装置１７００の処理動作について、図１７を用いて説明する。
【０１５１】
まず、利用者に対して、当該コンテンツ受信装置１７００の内部の３つのコンテンツ受信装置１００、１３００、１５００の何れのコンテンツ受信装置を用いるかを選択させ、判別機能切替部１７１８を切り替える。
【０１５２】
前記３つのコンテンツ受信装置１００、１３００、１５００を切り替えて用いることにより、状況に応じて検索ヒット率の良い、または検索時間の短いコンテンツ受信装置を利用者が選択することができる。
【０１５３】
前記判別機能切替部１７１８において、使用するコンテンツ受信装置を切り替えると、選択したコンテンツ受信装置内のコンテンツ受信部１０１が、新たに受信しようとするコンテンツのコンテンツ情報を入手する。その後の動作は、第１の実施形態、第７の実施形態、第８の実施形態と同様であるので、その説明は省略する、
上記のように、本実施形態では、３つコンテンツ受信装置１００、１３００、１５００を備えることによって、受信しようとするコンテンツのコンテンツ情報がコンテンツ情報格納ＤＢ１０５内に存在するかどうかを判定することができるコンテンツ受信装置１００、受信しようとするコンテンツがデータ蓄積装置４０８に存在するかどうかを判定することができるコンテンツ受信装置１３００、及びそれらの両方の機能を併せ持つコンテンツ受信装置１５００の何れかを、比較スピードの速さや、過去に保存した全てのコンテンツとの比較等の目的に応じて利用できるようになる。
【０１５４】
尚、本実施形態のコンテンツ受信装置１７００において、利用者自身が３つのコンテンツ受信装置１００、１３００、１５００の何れか１つを選択してもよいし、コンテンツ受信装置１７００によって自動的に切り替えても良いのは勿論である。
【０１５５】
尚、本実施形態のコンテンツ受信装置における処理動作は、ソフトウェアで実現しても良く、このソフトウェアをソフトウェアダウンロードやＣＤ−ＲＯＭなどの記録媒体等により配布しても良い。
【０１５６】
上記のように本発明のコンテンツ受信装置によれば、コンテンツ受信装置によって、取得するコンテンツの重複を判定するので、複数の事業者、ＣＳやＣＡＴＶ、ピアツーピアーによってコンテンツを取得する場合であっても、利用者が取得するコンテンツの重複を管理・制御することが可能となる。
【０１５７】
また、上記の各々の実施形態において、各処理や各機能は、単一の装置によって集中処理されることによって実現されてもよく、あるいは、複数の装置によって分散処理されることによって実現されてもよい。
【０１５８】
さらに、上記のコンテンツ受信装置を録画装置、再生装置や受信装置に備えることによって、それらの録画装置、再生装置や受信装置においても、利用者が取得するコンテンツの重複を管理・制御することが可能となる。
【産業上の利用可能性】
【０１５９】
以上のように、本発明は、コンテンツ受信装置によって、新たに受信したコンテンツが過去に取得したコンテンツであるかどうかを判定するので、特に、録画装置、再生装置、受信装置等として有用である。
【図面の簡単な説明】
【０１６０】
【図１】本発明の第１の実施形態のコンテンツ受信装置の全体構成のブロック図である。
【図２】同コンテンツ受信装置１００における処理フローのフロー図である。
【図３】同コンテンツ受信装置の他の実施形態の全体構成のブロック図である。
【図４】本発明の第２の実施形態のコンテンツ受信装置の全体構成のブロック図である。本発明の実施の形態２に係るコンテンツ受信装置のブロック図である。
【図５】同コンテンツ受信装置４００における再録画予約の判定処理の模式図である。本発明の実施の形態２に係るコンテンツ受信装置の時間的な動作を示す図である。
【図６】本発明の第３の実施形態のコンテンツ受信装置の全体構成のブロック図である。本発明の実施の形態３に係るコンテンツ受信装置のブロック図である。
【図７】本発明の第４の実施形態のコンテンツ受信装置の全体構成のブロック図である。
【図８】同コンテンツ受信装置７００における処理フローのフロー図である。
【図９】本発明の第５の実施形態のコンテンツ受信装置の全体構成のブロック図である。
【図１０】同コンテンツ受信装置９００における処理フローのフロー図である。
【図１１】本発明の第６の実施形態のコンテンツ受信装置の全体構成のブロック図である。
【図１２】同コンテンツ受信装置１１００における処理フローのフロー図である。
【図１３】本発明の第７の実施形態のコンテンツ受信装置の全体構成のブロック図である。
【図１４】同コンテンツ受信装置１３００における処理フローのフロー図である。
【図１５】本発明の第８の実施形態のコンテンツ受信装置の全体構成のブロック図である。
【図１６】同コンテンツ受信装置１５００における処理フローのフロー図である。
【図１７】本発明の第９の実施形態のコンテンツ受信装置の全体構成のブロック図である。
【符号の説明】
【０１６１】
１０１        コンテンツ受信部
１０２        再コンテンツ判定部
１０３        処理部
１０４        コンテンツ情報格納部
３０６        判定結果出力部
４０８        データ蓄積装置
４０９        入力装置
４１０        録画受付部
４１１        録画部
６１２        コンテンツ記録部
７１３        削除判別部
９１４        データ検索部
９１５        データ実行部
１１１６      コンテンツ再生部
１３１７      再コンテンツ検索判定部
１７１８      判別機能切替部
【図１】
2008113147.tif 000003
【図２】
2008113147.tif 000004
【図３】
2008113147.tif 000005
【図４】
2008113147.tif 000006
【図５】
2008113147.tif 000007
【図６】
2008113147.tif 000008
【図７】
2008113147.tif 000009
【図８】
2008113147.tif 000010
【図９】
2008113147.tif 000011
【図１０】
2008113147.tif 000012
【図１１】
2008113147.tif 000013
【図１２】
2008113147.tif 000014
【図１３】
2008113147.tif 000015
【図１４】
2008113147.tif 000016
【図１５】
2008113147.tif 000017
【図１６】
2008113147.tif 000018
【図１７】
2008113147.tif 000019